(57)【要約】【課題】ＣＣＤの位置合わせ精度を従来よりも高めつつ、外部への電波の発信を抑えることができる画像読取装置を提供する。【解決手段】画像が記録された原稿に光を照射する管状ランプ１６２ａと、原稿面での光反射によって得られた光学像をスキャナボードユニット２２０とを備えるとともに、その光学像の情報を光電変換する光電変換素子及びその他の電子部品が実装された回路基板と、これを支持する図示しないブラケットとをスキャナボードユニット２２０に有する画像読取装置において、上記ブラケットとして金属材料からなるものを用いるとともに、その金属製のブラケットとは別体である図示しない銅板部材を、上記その他の電子部品のリード端子に対して空隙を介して対向配設してアースに接続した。【選択図】図７
2007134907.tif 000002
【特許請求の範囲】
【請求項１】
画像が記録された原稿に光を照射する光照射手段と、原稿面での光反射によって得られた光学像を読み取る読取手段とを備えるとともに、該光学像の情報を光電変換する光電変換素子及びその他の電子部品が実装された電子回路基板と、これを支持する支持体とを該読取手段に有する画像読取装置において、
上記支持体として金属材料からなる金属製支持体を用いるとともに、該金属製支持体をアース接続したことを特徴とする画像読取装置。
【請求項２】
画像が記録された原稿に光を照射する光照射手段と、原稿面での光反射によって得られた光学像を読み取る読取手段とを備えるとともに、該光学像の情報を光電変換する光電変換素子及びその他の電子部品が実装された電子回路基板と、これを支持する支持体とを該読取手段に有する画像読取装置において、
上記支持体として金属材料からなる金属製支持体を用いるとともに、該金属製支持体とは別体である金属板を、上記その他の電子部品の本体又はリード端子に対して空隙を介して対向配設してアースに接続したことを特徴とする画像読取装置。
【請求項３】
画像が記録された原稿に光を照射する光照射手段と、原稿面での光反射によって得られた光学像を読み取る読取手段とを備えるとともに、該光学像の情報を光電変換する光電変換素子及びその他の電子部品が実装された電子回路基板と、これを支持する支持体とを該読取手段に有する画像読取装置において、
上記支持体として金属材料からなる金属製支持体を用いるとともに、該金属製支持体とは別体である金属板を、上記電子回路基板の配線パターンに対して空隙を介して対向配設してアースに接続したことを特徴とする画像読取装置。
【請求項４】
請求項２又は３の画像読取装置において、
上記金属板を上記金属製支持体で支持して、該金属板を介して該金属製支持体をアースに接続したことを特徴とする画像読取装置。
【請求項５】
請求項４の画像読取装置において、
上記金属板として、上記金属製支持体よりも電気抵抗の小さいものを用いたことを特徴とする画像読取装置。
【請求項６】
請求項２乃至５の何れかの画像読取装置において、
上記金属製支持体に直接接触しながらそれを支持する第２の金属製支持体を設け、該第２の金属製支持体をアースに接続したことを特徴とする画像読取装置。
【請求項７】
請求項２乃至６の何れかの画像読取装置において、
上記金属板を上記電子回路基板のグランド配線パターンにハンダ接合したことを特徴とする画像読取装置。
【請求項８】
請求項２乃至７の何れかの画像読取装置において、
上記金属板の端部を画像読取装置の筐体内に配設され且つアース接続された金属支柱、金属側板、金属底板又は金属梁に当接させたことを特徴とする画像読取装置。
【請求項９】
請求項８の画像読取装置において、
上記金属板の一端側に板本体から延びる複数の端子を設け、これら端子を上記端部として上記金属支柱、金属側板、金属底板又は金属梁に当接させたことを特徴とする画像読取装置。
【請求項１０】
請求項９の画像読取装置において、
複数の上記端子として、それぞれ可撓性を発揮する湾曲形状のものを用い、その湾曲面を上記金属支柱、金属側板、金属底板又は金属梁に当接させたことを特徴とする画像読取装置。
【請求項１１】
請求項９又は１０の画像読取装置において、
複数の上記端子を上記電子回路基板の長手方向に並べて設けたことを特徴とする画像読取装置。
【請求項１２】
原稿に記録された画像を読み取る画像読取装置と、該原稿を該画像読取装置による原稿読取位置に搬送する原稿搬送手段とを備える原稿搬送読取装置において、
上記画像読取装置として、請求項１乃至１１の何れかのものを用いたことを特徴とする原稿搬送読取装置。
【請求項１３】
記録材に画像を形成する画像形成手段と、原稿に記録された画像を読み取る画像読取装置とを備え、該画像読取手段で読み取った画像を該画像形成手段によって該記録材に形成することで、該原稿を複写する複写機において、
上記画像読取装置として、請求項１乃至１１の何れかのものを用いたことを特徴とする複写機。
【請求項１４】
記録材に画像を形成する画像形成手段と、原稿を搬送しながら該原稿の画像を読み取る原稿搬送読取装置とを備え、該原稿搬送読取装置の画像読取装置で読み取った画像を該画像形成手段によって該記録材に形成することで、該原稿を複写する複写機において、
上記原稿搬送読取装置の画像読取装置として、請求項１乃至１１の何れかのものを用いたことを特徴とする複写機。
【発明の詳細な説明】
【技術分野】
【０００１】
本発明は、画像が記録された原稿に光を照射して得た光学像を読み取るスキャナ等の画像読取装置、並びにこれを用いる原稿搬送読取装置及び複写機に関するものである。
【背景技術】
【０００２】
従来、この種の画像読取装置として、特許文献１に記載のものが知られている。光源から原稿に向けての光照射によって得た光学像を、電子回路基板たるスキャナボードユニットに実装された複数の光電変換素子からなるＣＣＤ（Ｃｈａｒｇｅ  Ｃｏｕｐｌｅｄ  Ｄｅｖｉｃｅ）によって撮像するものである。
【０００３】
かかる構成の画像読取装置においては、原稿からの反射光による光学像をＣＣＤに結像するための結像レンズと、ＣＣＤとの位置合わせを行う必要がある。かかる位置合わせについては、ＣＣＤを実装したスキャナボードユニットをブラケットに固定し、装置本体内の支柱や梁に対するブラケットの取り付け姿勢を調整することで行う。そして、このブラケットについては、軽量化や低コスト化の観点から、樹脂製のものを用いるのが一般的であった。
【０００４】
【特許文献１】特開平７−１６２６１８号公報
【発明の開示】
【発明が解決しようとする課題】
【０００５】
ところが、本発明者らは、近年の高性能化の要求に対応すべく、より高解像度のＣＣＤを搭載した試験機を製作したところ、樹脂製のブラケットの撓みや歪みにより、実用化に要求されるＣＣＤの位置合わせ精度を得ることができなかった。
【０００６】
そこで、ブラケットを樹脂製のものから、より剛性の高い金属製のものに代えてみた。すると、所望の位置合わせ精度を得ることができた代わりに、樹脂製のブラケットを採用していたときには起きなかった電波の発生という新たな問題が発生してしまった。画像読取装置の内部から外部に、比較的強い高周波数の電波を発してしまったのである。この高周波数の電波は、画像読取装置の周囲に配設された電子機器に置く影響を及ぼすおそれがある。
【０００７】
本発明者らは、かかる電波の発生原因について鋭意研究を行ったところ、次のようなことがわかってきた。即ち、電子回路基板たるスキャナボードユニットには、ＣＣＤの他、ＩＣチップやチップコンデンサなどといった様々な電子部品が実装されており、近年の処理速度の高速化により、それら電子部品からは相当に周波数の高い電波が発生する。金属製のブラケットは、スキャナボードユニットの複数の電子部品から発せられる高周波数の電波を受信した後、それを増幅して送信するアンテナとして機能していた。このことが、画像読取装置から高周波数の電波を発信してしまう原因であった。
【０００８】
本発明は、以上の背景に鑑みなされたものであり、その目的とするところは、ＣＣＤ等の光電変換素子の位置合わせ精度を従来よりも高めつつ、外部に向けての電波の発信を抑えることができる画像読取装置を提供することである。また、かかる画像読取装置を用いる原稿搬送読取装置や複写機を提供することである。
【課題を解決するための手段】
【０００９】
上記目的を達成するために、請求項１の発明は、画像が記録された原稿に光を照射する光照射手段と、原稿面での光反射によって得られた光学像を読み取る読取手段とを備えるとともに、該光学像の情報を光電変換する光電変換素子及びその他の電子部品が実装された電子回路基板と、これを支持する支持体とを該読取手段に有する画像読取装置において、上記支持体として金属材料からなる金属製支持体を用いるとともに、該金属製支持体をアース接続したことを特徴とするものである。
また、請求項２の発明は、画像が記録された原稿に光を照射する光照射手段と、原稿面での光反射によって得られた光学像を読み取る読取手段とを備えるとともに、該光学像の情報を光電変換する光電変換素子及びその他の電子部品が実装された電子回路基板と、これを支持する支持体とを該読取手段に有する画像読取装置において、上記支持体として金属材料からなる金属製支持体を用いるとともに、該金属製支持体とは別体である金属板を、上記その他の電子部品の本体又はリード端子に対して空隙を介して対向配設してアースに接続したことを特徴とするものである。
また、請求項３の発明は、画像が記録された原稿に光を照射する光照射手段と、原稿面での光反射によって得られた光学像を読み取る読取手段とを備えるとともに、該光学像の情報を光電変換する光電変換素子及びその他の電子部品が実装された電子回路基板と、これを支持する支持体とを該読取手段に有する画像読取装置において、上記支持体として金属材料からなる金属製支持体を用いるとともに、該金属製支持体とは別体である金属板を、上記電子回路基板の配線パターンに対して空隙を介して対向配設してアースに接続したことを特徴とするものである。
また、請求項４の発明は、請求項２又は３の画像読取装置において、上記金属板を上記金属製支持体で支持して、該金属板を介して該金属製支持体をアースに接続したことを特徴とするものである。
また、請求項５の発明は、請求項４の画像読取装置において、上記金属板として、上記金属製支持体よりも電気抵抗の小さいものを用いたことを特徴とするものである。
また、請求項６の発明は、請求項２乃至５の何れかの画像読取装置において、上記金属製支持体に直接接触しながらそれを支持する第２の金属製支持体を設け、該第２の金属製支持体をアースに接続したことを特徴とするものである。
また、請求項７の発明は、請求項２乃至６の何れかの画像読取装置において、上記金属板を上記電子回路基板のグランド配線パターンにハンダ接合したことを特徴とするものである。
また、請求項８の発明は、請求項２乃至７の何れかの画像読取装置において、上記金属板の端部を画像読取装置の筐体内に配設され且つアース接続された金属支柱、金属側板、金属底板又は金属梁に当接させたことを特徴とするものである。
また、請求項９の発明は、請求項８の画像読取装置において、上記金属板の一端側に板本体から延びる複数の端子を設け、これら端子を上記端部として上記金属支柱、金属側板、金属底板又は金属梁に当接させたことを特徴とするものである。
また、請求項１０の発明は、請求項９の画像読取装置において、複数の上記端子として、それぞれ可撓性を発揮する湾曲形状のものを用い、その湾曲面を上記金属支柱、金属側板、金属底板又は金属梁に当接させたことを特徴とするものである。
また、請求項１１の発明は、請求項９又は１０の画像読取装置において、複数の上記端子を上記電子回路基板の長手方向に並べて設けたことを特徴とするものである。
また、請求項１２の発明は、原稿に記録された画像を読み取る画像読取装置と、該原稿を該画像読取装置による原稿読取位置に搬送する原稿搬送手段とを備える原稿搬送読取装置において、上記画像読取装置として、請求項１乃至１１の何れかのものを用いたことを特徴とするものである。
また、請求項１３の発明は、記録材に画像を形成する画像形成手段と、原稿に記録された画像を読み取る画像読取装置とを備え、該画像読取手段で読み取った画像を該画像形成手段によって該記録材に形成することで、該原稿を複写する複写機において、上記画像読取装置として、請求項１乃至１１の何れかのものを用いたことを特徴とするものである。
また、請求項１４の発明は、記録材に画像を形成する画像形成手段と、原稿を搬送しながら該原稿の画像を読み取る原稿搬送読取装置とを備え、該原稿搬送読取装置の画像読取装置で読み取った画像を該画像形成手段によって該記録材に形成することで、該原稿を複写する複写機において、上記原稿搬送読取装置の画像読取装置として、請求項１乃至１１の何れかのものを用いたことを特徴とするものである。
【発明の効果】
【００１０】
これらの発明においては、光電変換素子が実装された電子回路基板を金属製支持体で支持することにより、樹脂製の支持体で支持していた従来よりも、光電変換素子の位置合わせ精度を高めることができる。
また、これらの発明のうち、請求項１の発明特定事項の全てを備えるものでは、電子回路基板の電子部品からの電波を金属製支持体で受信してしまったとしても、それをアースに逃がすことにより、金属製支持体による電波の増幅や発信を抑える。これにより、画像読取装置の外部に向けての電波の発信を抑えることができる。
また、請求項２の発明特定事項の全てを備えるものでは、電子回路基板に実装された電子部品やそのリード端子から発せられる電波を、金属製支持体に受信させてしまう前に、電子部品やリード端子に対向している金属板で受信してアースに逃がす。これにより、電波を金属製支持体に受信及び送信させてしまうことによる画像読取装置外部への電波の発信を抑えることができる。
また、請求項３の発明特定事項の全てを備えるものでは、電子回路基板の配線パターンから発せられる電波を、金属製支持体に受信させてしまう前に、配線パターンに対向している金属板で受信してアースに逃がす。これにより、電波を金属製支持体に受信及び送信させてしまうことによる画像読取装置外部への電波の発信を抑えることができる。
【発明を実施するための最良の形態】
【００１１】
以下、本発明を、電子写真方式の複写機（以下、単に複写機という）に適用した一実施形態について説明する。
まず、本実施形態に係る複写機の基本的な構成について説明する。図１は、本複写機を示す概略構成図である。この複写機は、画像形成手段たる画像形成装置１と、白紙供給装置４０と、原稿搬送読取ユニット５０とを備えている。原稿搬送読取ユニット５０は、画像形成装置１の上に固定された画像読取装置たるスキャナ１５０と、これに支持される原稿搬送装置たるＡＤＦ５１とを有している。
【００１２】
白紙供給装置４０は、ペーパーバンク４１内に多段に配設された２つの給紙カセット４２、給紙カセットから記録材たる記録紙を送り出す送出ローラ４３、送り出された記録紙を分離して給紙路４４に供給する分離ローラ４５等を有している。また、画像形成装置１の給紙路３７に記録紙を搬送する複数の搬送ローラ４７等も有している。そして、給紙カセット内の記録紙を画像形成装置１内の給紙路３７内に給紙する。
【００１３】
画像形成装置１は、光書込装置２や、Ｋ，Ｙ，Ｍ，Ｃ色のトナー像を形成する４つのプロセスユニット３Ｋ，Ｙ，Ｍ，Ｃ、転写ユニット２４、紙搬送ユニット２８、レジストローラ対３３、定着装置３４、スイッチバック装置３６、給紙路３７等を備えている。そして、光書込装置２内に配設された図示しないレーザーダイオードやＬＥＤ等の光源を駆動して、プロセスユニット３Ｋ，Ｙ，Ｍ，Ｃの感光体４Ｋ，Ｙ，Ｍ，Ｃに向けてレーザー光Ｌを照射する。この照射により、ドラム状の感光体４Ｋ，Ｙ，Ｍ，Ｃの表面には静電潜像が形成され、この潜像は所定の現像プロセスを経由してトナー像に現像される。なお、符号の後に付されたＫ，Ｙ，Ｍ，Ｃという添字は、ブラック，イエロー，マゼンタ，シアン用の仕様であることを示している。
【００１４】
図２は、画像形成装置の内部構成の一部を拡大して示す部分拡大構成図である。同図において、プロセスユニット３Ｋ，Ｙ，Ｍ，Ｃは、それぞれ、感光体とその周囲に配設される各種装置とを１つのユニットとして共通の支持体に支持するものであり、画像形成装置１本体に対して着脱可能になっている。ブラック用のプロセスユニット３Ｋを例にすると、これは、感光体４Ｋの他、これの表面に形成された静電潜像をブラックトナー像に現像するための現像装置６Ｋを有している。また、後述するＫ用の１次転写ニップを通過した後の感光体４Ｋ表面に付着している転写残トナーをクリーニングするドラムクリーニング装置１５なども有している。本複写機では、４つのプロセスユニット３Ｋ，Ｙ，Ｍ，Ｃを、後述する中間転写ベルト２５に対してその無端移動方向に沿って並べるように対向配設したいわゆるタンデム型の構成になっている。
【００１５】
図３は、４つのプロセスユニット３Ｋ，Ｙ，Ｍ，Ｃからなるタンデム部の一部を示す部分拡大図である。４つのプロセスユニット３Ｋ，Ｙ，Ｍ，Ｃは、それぞれ使用するトナーの色が異なる他は同様の構成になっているので、同図においては各符号に付すＫ，Ｙ，Ｍ，Ｃという添字を省略している。同図に示すように、プロセスユニット３は、感光体４の周りに、帯電装置２３、現像装置６、ドラムクリーニング装置１５、除電ランプ２２等を有している。
【００１６】
感光体４としては、アルミニウム等の素管に、感光性を有する有機感光材の塗布による感光層を形成したドラム状のものを用いている。但し、無端ベルト状のものを用いても良い。
【００１７】
現像装置６は、図示しない磁性キャリアと非磁性トナーとを含有する二成分現像剤を用いて潜像を現像するようになっている。そして、内部に収容している二成分現像剤を攪拌しながら搬送して現像スリーブ１２に供給する攪拌部７と、現像スリーブ１２に担持された二成分現像剤中のトナーを感光体４に転移させるための現像部１１とを有している。
【００１８】
攪拌部７は、現像部１１よりも低い位置に設けられており、互いに平行配設された２本の搬送スクリュウ８、これらスクリュウ間に設けられた仕切り板、現像ケース９の底面に設けられたトナー濃度センサ１０などを有している。
【００１９】
現像部１１は、現像ケース９の開口を通して感光体４に対向する現像スリーブ１２、これの内部に回転不能に設けられたマグネットローラ１３、現像スリーブ１２に先端を接近させるドクタブレード１４などを有している。現像スリーブ１２は、非磁性の回転可能な筒状になっている。マグネットローラ１３は、スリーブの回転方向に沿って並ぶ複数の磁極を有している。これら磁極は、それぞれスリーブ上の二成分現像剤に対して回転方向の所定位置で磁力を作用させる。これにより、攪拌部７から送られてくる二成分現像剤を現像スリーブ１２表面に引き寄せて担持させるとともに、スリーブ表面上で磁力線に沿った磁気ブラシを形成する。
【００２０】
この磁気ブラシは、現像スリーブ１２の回転に伴ってドクタブレード１４との対向位置を通過する際に適正な層厚に規制されてから、感光体４に対向する現像領域に搬送される。そして、現像スリーブ１２に印加される現像バイアスと、感光体４の静電潜像との電位差によってトナーを静電潜像上に転移させて現像に寄与する。更に、現像スリーブ１２の回転に伴って再び現像部１１内に戻り、マグネットローラ１３の磁極間に形成される反発磁界の影響によってスリーブ表面から離脱した後、攪拌部７内に戻される。攪拌部７内には、トナー濃度センサ１０による検知結果に基づいて、二成分現像剤に適量のトナーが補給される。なお、現像装置６として、二成分現像剤を用いるものの代わりに、磁性キャリアを含まない一成分現像剤を用いるものを採用してもよい。
【００２１】
ドラムクリーニング装置１５としては、ポリウレタンゴム製のクリーニングブレード１６を感光体４に押し当てる方式のものを用いているが、他の方式のものを用いてもよい。クリーニング性を高める目的で、本例では、外周面を感光体４に接触させる接触導電性のファーブラシ１７を、図中矢印方向に回転自在に有する方式のものを採用している。このファーブラシ１７は、図示しない固形潤滑剤から潤滑剤を掻き取って微粉末にしながら感光体４表面に塗布する役割も兼ねている。ファーブラシ１７にバイアスを印加する金属製の電界ローラ１８を図中矢示方向に回転自在に設け、これにスクレーパ１９の先端を押し当てている。ファーブラシ１７に付着したトナーは、ファーブラシ１７に対してカウンタ方向に接触して回転しながらバイアスが印加される電界ローラ１８に転位する。そして、スクレーパ１９によって電界ローラ１８から掻き取られた後、回収スクリュウ２０上に落下する。回収スクリュウ２０は、回収トナーをドラムクリーニング装置１５における図紙面と直交する方向の端部に向けて搬送して、外部のリサイクル搬送装置２１に受け渡す。リサイクル搬送装置２１は、受け渡されたトナーを現像装置１５に送ってリサイクルする。
【００２２】
除電ランプ２２は、光照射によって感光体４を除電する。除電された感光体４の表面は、帯電装置２３によって一様に帯電せしめられた後、光書込装置２による光書込処理がなされる。なお、帯電装置２３としては、帯電バイアスが印加される帯電ローラを感光体４に当接させながら回転させるものを用いている。感光体４に対して非接触で帯電処理を行うスコロトロンチャージャ等を用いてもよい。
【００２３】
先に示した図２において、４つのプロセスユニット３Ｋ，Ｙ，Ｍ，Ｃの感光体４Ｋ，Ｙ，Ｍ，Ｃには、これまで説明してきたプロセスによってＫ，Ｙ，Ｍ，Ｃトナー像が形成される。
【００２４】
４つのプロセスユニット３Ｋ，Ｙ，Ｍ，Ｃの下方には、転写ユニット２４が配設されている。この転写ユニット２４は、複数のローラによって張架した中間転写ベルト２５を、感光体４Ｋ，Ｙ，Ｍ，Ｃに当接させながら図中時計回り方向に無端移動させる。これにより、感光体４Ｋ，Ｙ，Ｍ，Ｃと中間転写ベルト２５とが当接するＫ，Ｙ，Ｍ，Ｃ用の１次転写ニップが形成されている。Ｋ，Ｙ，Ｍ，Ｃ用の１次転写ニップの近傍では、ベルトループ内側に配設された１次転写ローラ２６Ｋ，Ｙ，Ｍ，Ｃによって中間転写ベルト２５を感光体４Ｋ，Ｙ，Ｍ，Ｃに向けて押圧している。これら１次転写ローラ２６Ｋ，Ｙ，Ｍ，Ｃには、それぞれ図示しない電源によって１次転写バイアスが印加されている。これにより、Ｋ，Ｙ，Ｍ，Ｃ用の１次転写ニップには、感光体４Ｋ，Ｙ，Ｍ，Ｃ上のトナー像を中間転写ベルト２５に向けて静電移動させる１次転写電界が形成されている。図中時計回り方向の無端移動に伴ってＫ，Ｙ，Ｍ，Ｃ用の１次転写ニップを順次通過していく中間転写ベルト２５のおもて面には、各１次転写ニップでトナー像が順次重ね合わせて１次転写される。この重ね合わせの１次転写により、中間転写ベルト２５のおもて面には４色重ね合わせトナー像（以下、４色トナー像という）が形成される。
【００２５】
転写ユニット２４の図中下方には、駆動ローラ３０と２次転写ローラ３１との間に、無端状の紙搬送ベルト２９を掛け渡して無端移動させる紙搬送ユニット２８が設けられている。そして、自らの２次転写ローラ３１と、転写ユニット２４の下部張架ローラ２７との間に、中間転写ベルト２５及び紙搬送ベルト２９を挟み込んでいる。これにより、中間転写ベルト２５のおもて面と、紙搬送ベルト２９のおもて面とが当接する２次転写ニップが形成されている。２次転写ローラ３１には図示しない電源によって２次転写バイアスが印加されている。一方、転写ユニット２４の下部張架ローラ２７は接地されている。これにより、２次転写ニップに２次転写電界が形成されている。
【００２６】
この２次転写ニップの図中右側方には、レジストローラ対３３が配設されており、ローラ間に挟み込んだ記録紙を中間転写ベルト２５上の４色トナー像に同期させ得るタイミングで２次転写ニップに送り出す。２次転写ニップ内では、中間転写ベルト２５上の４色トナー像が２次転写電界やニップ圧の影響によって記録紙に一括２次転写され、記録紙の白色と相まってフルカラー画像となる。２次転写ニップを通過した記録紙は、中間転写ベルト２５から離間して、紙搬送ベルト２９のおもて面に保持されながら、その無端移動に伴って定着装置３４へと搬送される。
【００２７】
２次転写ニップを通過した中間転写ベルト２５の表面には、２次転写ニップで記録紙に転写されなかった転写残トナーが付着している。この転写残トナーは、中間転写ベルト２５に当接するベルトクリーニング装置によって掻き取り除去される。
【００２８】
定着装置３４に搬送された記録紙は、定着装置３４内における加圧や加熱によってフルカラー画像が定着させしめられた後、定着装置３４から排紙ローラ対３５に送られた後、機外へと排出される。
【００２９】
先に示した図１において、紙搬送ユニット２２および定着装置３４の下には、スイッチバック装置３６が配設されている。これにより、片面に対する画像定着処理を終えた記録紙が、切換爪で記録紙の進路を記録紙反転装置側に切り換えられ、そこで反転されて再び２次転写転写ニップに進入する。そして、もう片面にも画像の２次転写処理と定着処理とが施された後、排紙トレイ上に排紙される。
【００３０】
画像形成装置１の上に固定されたスキャナ１５０は、固定読取部１５１と、移動読取部１５２とを有している。光源、反射ミラー、ＣＣＤなどを有する固定読取部１５１は、原稿ＭＳに接触するようにスキャナ１５０のケーシング上壁に固定された図示しない第１コンタクトガラスの直下に配設されている。そして、後述するＡＤＦ５１によって搬送される原稿ＭＳが第１コンタクトガラス上を通過する際に、光源から発した光を原稿面で順次反射させながら、複数の反射ミラーを経由させてＣＣＤで受光する。これにより、光源や反射ミラー等からなる光学系を移動させることなく、原稿ＭＳを読み取る。なお、以下、ＡＤＦ５１による原稿搬送を行いながら固定読取部１５１によって原稿ＭＳの画像を読み取る制御を、スルー読取制御という。
【００３１】
一方、移動読取部１５２は、原稿ＭＳに接触するようにスキャナ１５０のケーシング上壁に固定された図示しない第２コンタクトガラスの直下であって、固定読取部１５１の図中右側方に配設されており、光源や、反射ミラーなどからなる移動光学系を図中左右方向に移動させることができる。そして、移動光学系を図中左側から右側に移動させていく過程で、光源から発した光を第２コンタクトガラス上に載置された図示しない原稿で反射させる。この反射によって得られた光学像は、複数の反射ミラーと、スキャナ本体に固定された結像レンズとを経由した後、ＣＣＤによって読み取られる。このように、移動読取部１５２は、移動光学系を移動させながら、第２コンタクトガラス上で静止している原稿ＭＳの画像を読み取る。
【００３２】
スキャナ１５０の上に配設されたＡＤＦ５１は、本体カバー５２に、読取前の原稿ＭＳを載置するための原稿載置台５３、原稿ＭＳを搬送するための搬送ユニット５４、読取後の原稿ＭＳをスタックするための原稿スタック台５５などを保持している。図４に示すように、スキャナ１５０に固定された蝶番１５９によって上下方向に揺動可能に支持されている。そして、その揺動によって開閉扉のような動きをとり、開かれた状態でスキャナ１５０の上面の第１コンタクトガラス１５４や第２コンタクトガラス１５５を露出させる。原稿束の片隅を綴じた本などの片綴じ原稿の場合には、原稿を１枚ずつ分離することができないため、ＡＤＦによる搬送を行うことができない。そこで、片綴じ原稿の場合には、ＡＤＦ５１を図４に示すように開いた後、読み取らせたいページが見開かれた片綴じ原稿を下向きにして第２コンタクトガラス１５４上に載せた後、ＡＤＦを閉じる。そして、図１に示したスキャナ１５０の移動読取部１５２によってそのページの画像を読み取らせる。
【００３３】
一方、互いに独立した複数の原稿ＭＳを単に積み重ねた原稿束の場合には、その原稿ＭＳをＡＤＦ５１によって１枚ずつ自動搬送しながら、スキャナ１５０の固定読取部１５１に順次読み取らせていくことができる。この場合、原稿束を原稿載置台５３上にセットした後、図示しないコピースタートボタンを押す。すると、ＡＤＦ５１が、原稿載置台５３上に載置された原稿束の原稿ＭＳを上から順に搬送ユニット５４内に送り、それを反転させながら原稿スタック台５５に向けて搬送する。この搬送の過程で、原稿ＭＳを反転させた直後にスキャナ１５０の固定読取部１５１の真上に通す。このとき、原稿ＭＳの画像がスキャナ１５０の固定読取部１５１によって読み取られる。
【００３４】
図５は、ＡＤＦ５１の要部構成をスキャナ１５０の上部とともに示す拡大構成図である。同図において、ＡＤＦ５１は、画像が読み取られた後の原稿ＭＳをスタックする原稿スタック台５５を有している。この原稿スタック台５５は、ＡＤＦ５１の本体カバー５２の下部に固定されており、その真上には、読み取られる前の原稿ＭＳを載置する原稿載置台５３が本体カバー５２に固定されている。原稿スタック台５５と原稿載置台５３とが互いに鉛直方向に重なるように配設されているのである。これら載置台の図中左側方には、原稿ＭＳを搬送するための搬送手段たる搬送ユニット５４が、本体カバー５２に固定されており、内部に通紙のための原稿搬送路５６を形成している。この原稿搬送路５６は、図中でアルファベットの「Ｃ」字状に湾曲した形状になっており、原稿載置台５３から受け取った原稿ＭＳを図中右側から左に向けて搬送した後、左端の湾曲部で反転させる。この反転により、原稿載置台５３で読取面を鉛直方向上方に向けていた原稿ＭＳの読取面を鉛直方向下方に向ける。そして、今度は、原稿ＭＳを図中左側から右側に向けて搬送する。
【００３５】
ＡＤＦ５１の原稿搬送路５６の大部分は、上下に所定の間隙を介して対向しながら複雑に湾曲する２枚のガイド板の間に形成されており、原稿ＭＳはこれら２枚のガイド板の間で搬送される。但し、原稿搬送路５６の全工程のうち、スキャナ１５０の図示しない固定読取部（図１の１５１）による原稿露光位置の真上を横切る工程では、原稿搬送路５６が、ＡＤＦ５１とスキャナ１５０との間に形成されている。具体的には、原稿搬送路５６の下部に設けられた固定読取ガイド部材６０と、スキャナ１５０の第１コンタクトガラス１５４との間に形成されている。
【００３６】
ＡＤＦ５１の原稿搬送路５６における図中左端の湾曲部で反転せしめられた後、図中左側から右側に搬送されるようになった原稿ＭＳは、上記固定読取部の露光位置である第１コンタクトガラス１５４の真上を横切る。このとき、原稿ＭＳの読取面の画像が固定読取部に読み取られる。読み取られた後の原稿ＭＳは、スキャナ１５０の第１コンタクトガラス１５４と第２コンタクトガラス１５５との間に配設されたガイド突起１５６に案内されて、ＡＤＦ５１の搬送ユニット５４内に再び進入する。そして、原稿スタック台５５上に送られる。
【００３７】
図６は、スキャナ１５０を部分的に示す部分斜視図である。同図は、スキャナ１５０の全体のうち、移動読取部（図１の１５２）を斜め上方から示しており、便宜上、上述の第２コンタクトガラスの図示を省略している。スキャナ１５０の筐体１６０内には、その長手方向に延在する２本（図では１本しか示していない）の金属製の第１レール１６１が短手方向に所定の間隔をあけて固定されている。そして、これら第１レール１６１よりも鉛直方向の下方には、筐体長手方向に延在する図示しない２本の金属製の第２レールが筐体短手方向に所定の間隔をあけて固定されている。これら第１レールや第２レール１６１は、図示しないアース線を介してアース接続される。
【００３８】
２本の第１レール１６１の間には、第１移動体１６２が架け渡されており、第１レール１６１上でその長手方向に沿って走行できるようになっている。また、図示しない２本の第２レールの間には、第２移動体１６３が架け渡されており、第２レール上でその長手方向に沿って走行できるようになっている。また、２本の第１レール１６１における互いの対向面には、金属製の梁板１６４の端部が固定されている。これにより、梁板１６４は２本の第１レール１６１間に架け渡された姿勢で固定されている。
【００３９】
金属製の梁板１６４は、その上面にネジ固定されたレンズユニット２００や、これに固定された電子回路基板たるスキャナボードユニット２２０（以下、ＳＢＵ２２０という）を支持している。
【００４０】
光照射手段たる第１移動体１６２は、光源としての管状ランプ１６２ａを有しており、これら発した光を、図示しない第２コンタクトレンズを介して図示しない原稿に照射する。
【００４１】
図７は、スキャナ１５０の移動読取部をその側方から示す拡大構成図である。同図において、ＳＢＵ２２０の図中右側方には、回転軸部材１６５に固定されたワイヤ駆動プーリー１６６が回転可能に設けられており、そのプーリー面に駆動ワイヤ１６７を一周掛け回している。駆動ワイヤ１６７は、ループ構造を有さない１本の紐状になっている。そして、ワイヤ駆動プーリー１６６のプーリー面に一周掛け回されながら自らを交差させ、その一端側をワイヤ駆動プーリー１６６から図中右方向に延ばすとともに、他端側をワイヤ駆動プーリー１６６から図中左方向に延ばしている。以下、駆動ワイヤ１６７におけるワイヤ駆動プーリー１６６から図中左方向に延びている箇所を一端側箇所という。また、ワイヤ駆動プーリー１６６から図中右方向に延びている箇所を他端側箇所という。
【００４２】
駆動ワイヤ１６７の一端側箇所は、ワイヤ駆動プーリー１６６から延出した後（１６７ｄ）、図示しない軸受けによって回転可能に支持される第１中継プーリー１７１に掛け回されて、図中右向きの姿勢から左向きの姿勢に折り返す（１６７ｅ）。そして、第２移動体１６３に設けられた図示しない軸受けによって回転可能に支持されるキャリッジプーリー１６８の後述する内側プーリー部に掛け回されて、図中左向きの姿勢から右向きの姿勢に再び折り返す（１６７ｆ）。その端は、張力スプリング１６９を介して本体の支柱に固定されている。
【００４３】
一方、駆動ワイヤ１６７の他端側箇所は、ワイヤ駆動プーリー１６６から延出した後（１６７ａ）、図示しない軸受けによって回転可能に支持される第２中継プーリー１７０に掛け回されて、図中左向きの姿勢から右向きの姿勢に折り返す（１６７ｂ）。そして、キャリッジぶーリー１６８の後述する外側プーリー部に掛け回されて、図中右向きの姿勢から左向きの姿勢に再び折り返す（１６７ｃ）。その端は、本体の支柱に固定されている。
【００４４】
駆動ワイヤ１６７の一端側箇所における、第１中継プーリー１７１とキャリッジプーリー１６８との間の展張箇所には、第１移動体１６２が接続されている。ワイヤ駆動プーリー１６６の回転に伴って駆動ワイヤ１６７の一端側箇所がワイヤ駆動プーリー１６６から送り出されたり、ワイヤ駆動プーリー１６６に巻き取られたりすると、それに伴って第１移動体１６２が図示しない第１レール上で図中左右方向に走行する。また、それらに伴い、駆動ワイヤ１６７の他端側箇所は、ワイヤ駆動プーリー１６６から送り出されたり、ワイヤ駆動うプーリーに巻き取られたりして、キャリッジプーリー１６８を保持する第２移動体１６３が図示しない第２レール上で図中左右方向に走行する。
【００４５】
第１移動体１６２は、図中右方向に走行する際に、管状ランプ１６２ａによって図示しない原稿を光照射する。これにより、原稿が移動体移動方向である副走査方向に光走査される。原稿からの反射光束（光学像）は第１移動体１６２に保持される第１反射ミラー１６２ｂ上で反射して、第２移動体１６３に向かう。そして、第２移動体１６３の第２反射ミラー１６３ａ上と第３反射ミラー１６３ｂ上とで順次反射して、図中左側に向かう方向から右側に向かう方向に折り返す。その後、レンズユニット２００の図示しない結像レンズを通過した後、ＳＢＵ２２０のＣＣＤ２２１の素子面上に結像される。ＣＣＤ２２１は、図紙面に直交する方向に並ぶ複数の図示しない光電変換素子を有しており、それらでそれぞれ受光することで、原稿面における走査方向と直交する方向である主走査方向の光走査を行う。
【００４６】
第２移動体１６３は、２枚の反射ミラー（１６３ａ，ｂ）による光束の折り返しに伴う光路の重複分を相殺するように、第１移動体１６２の半分の速度で第１移動体１６２と同方向に移動する。このような移動速度の関係により、第１移動体１６２が原稿に対して相対移動しても、原稿面からレンズユニット２００までの光束の光路長が変化しないようになっている。
【００４７】
第２移動体１６３は、第１移動体１６２に比べて走行範囲が半分であるため、第２レール上の長手方向における図中約右半分の領域は第２移動体１６３の走行に利用されない。但し、この領域を切り捨てると、第２レールの平行度等に悪影響を与えてしまう。そこで、切り捨てずにそのまま図中右側に向けて延ばして、筐体の側板に固定している。そして、この領域で、ワイヤ駆動プーリー１６６の回転軸部材１６５を回転自在に受けながら、回転軸部材１６５の鉛直方向における頂点位置を第２レールのレール面よりも鉛直方向上側に位置させている。回転軸部材１６５をこのように位置させることにより、ワイヤ駆動プーリー１６６を原稿面側に近づけて、装置の小型化を図ることができる。
【００４８】
図８は、スキャナ１５０の移動読取部におけるワイヤ駆動系を示す模式図である。キャリッジプーリー１６８は、第２移動体（１６３）に回転可能に保持されながら、第２移動体とともに図示しない第２レール上を移動する。このキャリッジプーリー１６８や第２移動体の移動に関与しているのは、駆動ワイヤ１６７の他端側箇所における第１折返し箇所１６７ｂ及び第２折返し箇所１６７ｃであり、これらはそれぞれ第２レールのレール面と平行になっている必要がある。非平行であると、第２移動体やキャリッジプーリー１６８を等速移動させることができなくなるからである。なお、キャリッジプーリー１６８は、駆動ワイヤ１６７の一端側箇所を巻き掛けるための内側プーリー部１６８ａと、他端側箇所を巻き掛けるための外側プーリー部１６８ｂとを同一軸線上で回転させる２重溝プーリである。
【００４９】
第１中継プーリー１７１、第２中継プーリー１７０は、それぞれ、その鉛直方向における底頂部よりも上頂部をワイヤ駆動プーリー１６６の厚み方向の中心延長線から遠ざけるように、その回転軸を傾斜させている（以下、このような傾斜を内側傾斜という）。また、キャリッジプーリー１６８は、その回転軸をこれら中継プーリーとは逆方向に傾斜させている（以下、このような傾斜を外側傾斜という）。ワイヤ駆動プーリー１６６の回転軸部材は水平になっている。各軸をこのような関係にする理由は次の通りである。即ち、駆動ワイヤ１６７の他端側箇所における折返し前部分１６７ａは、ワイヤ駆動プーリー１６６４の回転に伴って、巻き付き開始位置を軸方向に僅かに移動させる。そして、キャリッジプーリー１６８が第２中継プーリー１７０に最も近づいたときに、この折返し前部分１６７ａとキャリッジプーリー１６８とが接触してしまうおそれがある。この接触を回避するために、第２中継プーリー１７０を傾斜させて折返し前部分１６７ａとキャリッジプーリー１６８とを鉛直方向に遠ざけているのである。
【００５０】
図９は、移動読取部のワイヤ駆動モータ１７２及びその周囲構成を駆動ワイヤ展張方向から示す拡大構成図である。同図において、ワイヤ駆動モータ１７２は、そのモータ軸１７２ａを、上述したワイヤ駆動プーリー１６６の回転軸部材１６５と平行な方向に延在させる姿勢で固定されている。モータ軸１７２ａの先端には、ベルト駆動プーリー１７３が固定されている。また、ワイヤ駆動プーリーの回転軸部材１６５の端部には、駆動受入プーリー１７５が固定されている。これらベルト駆動プーリー１７３と駆動受入プーリー１７５とには駆動ベルト１７４が掛け回されており、モータ軸１７２ａの回転駆動力が駆動ベルト１７４と駆動受入プーリー１７５と回転軸部材１６５とを介してワイヤ駆動プーリー１６６に伝達されるようになっている。
【００５１】
同図に示す領域よりも右方向に、スキャナの短手方向の中心がある。ワイヤ駆動プーリー１６６の回転駆動軸１６５は水平な姿勢になっているが、第２中継プーリー１７０は、図中矢印Ａで示すように、その上頂部を装置の短手方向における中心に向けるように傾斜している。第１中継プーリーも同様な姿勢になっている。これに対し、キャリッジプーリー１６８は、図中矢印Ｂで示すように、その上長部を装置の短手方向の中心とは逆の外側に向けるように傾斜している。各プーリの水平方向における中心位置は、装置外側から中心側に向かってワイヤ駆動プーリー１６６、第２中継プーリー１７０、キャリッジプーリー１６８の順になっている。
【００５２】
ワイヤ駆動プーリー１６６の上頂部は、第２中継プーリー１７０の底頂部よりも鉛直方向上側に位置している。これにより、装置全体の鉛直方向の高さを小さくすることができる。但し、ワイヤ駆動プーリー１６６４の上頂部は、第２中継プーリー１７０の上頂部よりも鉛直方向下側に位置させている。これにより、駆動ワイヤ１６７とワイヤ駆動プーリー１６６との干渉を回避している。このような関係は第１中継プーリー（１７１）も同様になっている。
【００５３】
駆動ワイヤ１６７の他端側箇所は、ワイヤ駆動プーリー１６６と第２中継プーリー１７０との間の展張部分が、ワイヤ駆動プーリー１６６との接線と同一線上に位置している。厳密には、ワイヤ駆動プーリー１６６に対する駆動ワイヤ１６７の巻き付き開始位置（ワイヤを接線とみなした場合の接点に相当する）が軸方向に若干移動するが、平均的には同一線上に位置していると言える。
【００５４】
また、駆動ワイヤ１６７の他端側箇所における第２中継プーリー１７０とキャリッジプーリー１６８との間の展張部分は、両プーリーに対する接線と同一線上に位置している。従って、両プーリーに対する巻き付き開始位置が同図において同一点に重なっている。なお、第１中継プーリー（１７１）も同様になっている。
【００５５】
このような構成にすることにより、鉛直方向における駆動ワイヤ１６７の重なりを少なくして、各プーリーに対するワイヤ巻き付け作業を容易にすることができる。
【００５６】
次に、本複写機の特徴的な構成について説明する。
図１０は、スキャナの移動読取部における梁板１６４とレンズユニット２００とＳＢＵ２２０とを示す斜視図である。なお、同図におけるＺ軸は、図７に示した第１移動体１６２から第２移動体１６３を介して送られてくる反射光束（光学像）の移動体移動方向（副走査方向）軸であり、レンズユニット２００に対する入射方向軸と同じである。また、Ｘ軸は、原稿の主走査方向軸であり、Ｚ軸と直交している。また、Ｙ軸は、Ｚ軸及びＸ軸に直交する軸であり、本複写機では鉛直方向軸に相当している。また、図中矢印αは、Ｘ軸を中心にする回転方向を示している（以下、この回転方向をα回転方向という）。また、図中矢印βは、Ｙ軸を中心にする回転方向を示している（以下、この回転方向をβ回転方向という）。また、図中矢印γは、Ｚ軸を中心にする回転方向を示している（以下、この回転方向をγ回転方向という）。なお、レンズユニット２００に対しては、反射光束がＸ軸に平行な面内においてある程度の角度範囲をもって入射するが、その角度範囲の中心が反射光束の入射角となる。
【００５７】
図１０において、梁板１６４は、上述したように、図示しない２本の第１レールの間に固定されている。レンズユニット２００は、板金が折り曲げ加工と折り曲げ部同士の圧入連結加工とによって箱状に形成された箱部２０１とこれの内部に固定された結像レンズ２０２とを有している。箱部２０１は、底板部と、これの周縁部の折り曲げ加工と折り曲げ部の圧入連結加工とによって立ち上げられた立ち壁とを有している。但し、底板部の後側（反射光束の入射側が前側）の端部には折り曲げ加工による立ち壁が形成されていない。即ち、箱部２０１は、Ｚ軸方向の前側で立ち上がっている立ち壁である前壁と、これと直交しながらＸ軸方向に所定の距離をおいて相対向する立ち壁である２つの側壁とを有している。そして、前壁に設けられた開口から、図示しない反射光束を箱部２０１内に受け入れた後、箱部２０１内の結像レンズ２０２に通す。この結像レンズ２０２を通過した反射光束は、ＳＢＵ２２０のＣＣＤの光電変換素子面に結像される。
【００５８】
箱部２０１における上述した２つの側壁には、それぞれ２つのネジ穴が形成されている。第３ブラケット２０３は、Ｘ軸方向から見ると、折り曲げ加工されたＬ字状の形状になっており、Ｌ字を１８０［°］回転させた姿勢で箱部２０１に対してその後側から２つの側壁の間に挿入される。箱部２０１の２つの側壁にそれぞれ個別に接触する２つの接触壁を有しており、これらにもそれぞれネジ穴が形成されている。第３ブラケット２０３のネジ穴と箱部２０１のネジ穴とを貫通するようにボルトが挿入されて、第３ブラケット２０３が箱部２０１にネジ止め固定される。
【００５９】
この第３ブラケット２０３には、板金が折り曲げ加工と折り曲げ部同士の圧入連結加工とによって「コ」の字状の断面形状に形成された金属製の第２ブラケット２０４が後側からネジ止め加工されている。具体的には、第３ブラケット２０３の後端部で立ち下がっている立ち下がり壁には、Ｘ軸方向の両端部にそれぞれネジ穴が形成されている。また、第２ブラケット２０４は、この立ち下がり壁に接触する接触壁を有しており、この接触壁には第３ブラケット２０３の２つのネジ穴にそれぞれ個別に対応する２つのネジ穴が形成されている。第３ブラケット２０３のネジ穴と第２ブラケット２０４のネジ穴とを貫通するようにボルトが挿入されて、第３ブラケット２０３の後端側に第２ブラケット２０４がネジ止め固定される。
【００６０】
第２ブラケット２０４の天板におけるＸ軸方向の両端部には、それぞれネジ穴が形成されている。一方、第１ブラケット２０５は、Ｘ軸方向から見るとＬ字状の形状になっており、Ｌ字を１８０［°］回転させた姿勢をとっている。第１ブラケット２０５におけるＬ字の一辺部分は、第２ブラケット２０４の天板との接触部となっており、この接触部には第２ブラケット２０４の２つのネジ穴にそれぞれ個別に対応する２つのネジ穴が形成されている。第１ブラケット２０５のネジ穴と第２ブラケット２０４のネジ穴とを貫通するようにボルトが挿入されて、第２ブラケット２０４の後端側に第１ブラケット２０５がネジ止め固定される。
【００６１】
ＳＢＵ２２０は、スキャナの筺体内で鉛直方向に立つ姿勢をとっているが、これは図１１に示すように、第１ブラケット２０５の鉛直方向面にネジ止め固定さることによって実現されている。ＳＢＵユニット２２０には図示しない複数の光電変換素子を有するＣＣＤ２２１が実装されている。このＣＣＤ２２１は、第１ブラケット２０５がＳＢＵユニット２２０の配線基板にネジ止め固定された後に、第１ブラケット２０５に設けられた開口を通して配線基板にハンダ接合されることによって基板上に固定されている。このため、ＳＢＵ２２０は、配線基板を第１ブラケット２０５の立ち下がり板部よりも後側に位置させている一方で、ＣＣＤ２２１を立ち下がり板部よりも前側に位置させている。なお、ＣＣＤ２２１内では、図１０のＹ軸方向において鉛直方向上側から下側に向けてレッド（Ｒ）用光電変換素子、グレーン（Ｇ）用光電変換素子、ブルー（Ｂ）用光電変換素子を順に並べたＲＧＢ素子列が、Ｘ軸方向に複数配設されている。
【００６２】
このようにして、ＳＢＵ２２０は、図１０に示したように、金属製の第１ブラケット２０５と、金属製の第２ブラケット２０４と、金属製の第３ブラケット２０３と、金属製の箱部２０１とを介して、金属製の梁板１６４に支持されている。
【００６３】
レンズユニット２００の箱部２０１に対する第３ブラケット２０３のα回転方向における取付姿勢をネジ止め固定時に調整することで、レンズユニット２００の結像レンズ２０２に対するＣＣＤのα回転方向の位置合わせを行うことができる。また、第３ブラケット２０３に対する第２ブラケット２０４のＸ軸方向やＹ軸方向の取付位置をネジ止め固定時に調整することで、結像レンズ２０２に対するＣＣＤのＸ軸方向やＹ軸方向の位置合わせを行うことができる。また、第３ブラケット２０３に対する第２ブラケット２０４のγ回転方向の取付姿勢をネジ止め固定時に調整することで、結像レンズ２０２に対するＣＣＤのγ回転方向の位置合わせを行うことができる。また、第２ブラケット２０４に対する第１ブラケット２０５のＸ軸方向やＸ軸方向の取付位置をネジ止め固定時に調整することで、結像レンズ２０２に対するＣＣＤのＸ軸方向やＹ軸方向の位置合わせを行うことができる。更には、第２ブラケット２０４に対する第１ブラケット２０５のβ回転方向の取付姿勢をネジ止め固定時に調整することで、結像レンズ２０２に対するＣＣＤのβ回転方向の位置合わせを行うことができる。
【００６４】
第１ブラケット２０５は、図１２に示すように、その逆Ｌ字状の立ち下がり部がＳＢＵ２２０の基板面に密着せしめられながら、基板に設けられたネジ穴と自らに設けられたネジ穴とを貫通するようにボルトが挿入される。そして、第１ブラケット２０５の立ち下がり部にＳＢＵ２２０が固定される。本実施形態に係る複写機では、ＳＢＵ２２０を支持するための支持体たる第１ブラケット２０５として、金属製のものを用いたことで、樹脂製のものを用いていた従来とは異なり、高解像度のＣＣＤに要求される位置合わせ精度を満足することができた。
【００６５】
ＳＢＵ２２０の配線基板には、ＣＣＤの他、図示しないＩＣチップやチップコンデンサなどの様々な電子部品が実装されている。それら電子部品の実装面は、第１ブラケット固定面とは反対面であり、この面は同図において手前側を向いている。かかる面に実装されている図示しない複数の電子部品は、配線基板の図示しないスルーホールに貫通させたリード端子が配線基板の第１ブラケット固定面でハンダ接合されることで配線基板に固定されている。そして、これら複数の電子部品のパッケージからは高周波数の電波が発生し、アンテナとして機能する金属製の第１ブラケット２０５に受信されたる。その後、第１ブラケット２０５によって電波の増幅と送信が行われることで、スキャナ外部に向けて比較的強い高周波数の電波を発信してしまう。
【００６６】
ＣＣＤ２２１は上述した複数の電子部品とは異なり、先に図１１に示したように、ＳＢＵ２２０の配線基板の第１ブラケット固定面に実装されている。この第１ブラケット固定面には、複数の電子部品のパッケージは存在していないが、それら電子部品のリード端子が反対面側から貫通してハンダ固定されている。そして、それら複数のリード端子ハンダ固定部からも高周波数の電波が発生し、金属製の第１ブラケット２０５によって受信、増幅、送信されてしまう。
【００６７】
一方、先に示した図１０において、金属製の第１ブラケット２０５は、金属製の第２ブラケット２０４と、金属製の第１ブラケット２０３と、金属製の箱部２０１と、金属製の梁板１６４と、図示しない金属製の第１レールとを介してアースに接続されている。かかる構成では、第１ブラケット２０５で受信してしまった電波をアースに逃がすことで、その電波を第１ブラケット２０５で受信、増幅、送信してしまうといった事態を抑えることができる。
【００６８】
また、本実施形態に係る複写機では、図１３に示すように、金属製支持体とは別体である金属板としての銅板部材２３０を、第１ブラケット２０５にネジ止め固定している。そして、ＳＢＵ２２０の配線基板の第１ブラケット固定面における配線パターンであるリード端子固定パターンに対し、空隙を介して対向させながら、アース接続した。かかる構成では、第１ブラケット２０５で受信してしまった電波を、第２ブラケット（２０４）経由でアースに逃がすことに加えて、銅板部材２３０経由でもアースに逃がすことで、第１ブラケットによる電波の受信、増幅及び発信をより抑えることができる。更には、第１ブラケット固定面におけるリード端子固定パターンから発せられる高周波数の電波の大半を、金属製の第１ブラケット２０５に受信されてしまう前に、銅板部材２３０で受信してアースに逃がす。これにより、第１ブラケットによる電波の受信、増幅及び発信をより抑えることができる。
【００６９】
上述のリード端子固定パターンに対向せしめる金属板としては、銅製の銅板部材２３０に代えて、種々の金属からなるものを用いることができる。但し、その全体の電気抵抗が第１ブラケット２０５の全体の電気抵抗よりも小さいものを用いることが望ましい。かかる構成では、金属板で受信した電波を第１ブラケット２０５にリークさせてしまうといった事態を抑えることができるからである。本実施形態においても、銅板部材２３０として、第１ブラケット２０５よりも薄厚で強度が劣るものの、電気抵抗が遙かに小さくなるものを用いている。
【００７０】
図１４は、ＳＢＵ２２０とその周囲構成とを示す横断面図である。ＳＢＵ２２０のＣＣＤ２２１は、図示のようにＺ軸方向において第１ブラケット２０５よりも前側（光入射側）に位置しているが、金属製の第１ブラケット２０５とは非接触になっている。リード端子２２１ａが第１ブラケット２０５の開口を通して配線基板にハンダ付けされることにより、第１ブラケット２０５と非接触の状態を維持しながら、配線基板上に固定されているのである。
【００７１】
上述したように、ＳＢＵ２２０の配線基板における第１ブラケット固定面とは反対面には、図示しない複数の電子部品のパッケージが存在しており、これらパッケージからも高周波数の電波が発生する。一方、第１ブラケット２０５よりもＺ軸方向の後側には、第２銅板部材２３１がネジ止め固定によってスキャナ本体の梁板１６４上に立設せしめられており、配線基板の反対面と所定の空隙を介して対向している。この第２銅板部材２３１は逆Ｌ字状の形状になっており、配線基板の反対面に対向していることに加えて、梁板１６４とも対向している。そして、配線基板の反対面上に存在する複数の電子部品のパッケージから発せられる高周波数の電波を、金属製の第１ブラケット２０５に受信されてしまう前に、自らが受信してアースに逃がす。これにより、パッケージ（電子部品の本体）から発せられた電波を第１ブラケット２０５によって受信、増幅及び送信させてしまうといった事態も抑えることができる。
【００７２】
図１２、図１３、図１４にそれぞれ示したように、配線基板の第１ブラケット固定面側に設けた銅板部材２３０の周縁部には、配線基板に向かって折り曲げられた周縁部を設けている。これにより、第１ブラケット固定面のリード端子固定パターンから発せられる電波を、銅板部材２３０によってより確実にキャッチさせることができる。
【００７３】
また、銅板部材２３０には、微細折り曲げ突起部２３０ｂを設け、これを配線基板の図示しないスルーホールに通して、配線基板の図示しないグランド配線パターンにハンダ接合している。かかる構成では、銅板部材２３０を介して配線基板のグランド配線パターンをアースに接続することができる。また、銅板部材２３０をハンダ接合によって配線基板上に固定することもできる。
【００７４】
また、銅板部材２３０の鉛直方向下側の端部には、複数の短冊状の端子２３０ａを設け、これをスキャナの筺体内に配設され且つアース接続された金属梁である梁板１６４に当接させることで、銅板部材２３０をアースに接続している。かかる構成では、梁板１６４との当接によって銅板部材２３０をアースに接続することで、銅板部材２３０をアースに接続するためのハンダ付け作業やアース線ボルト固定作業を省略することができる。
【００７５】
銅板部材２３０に設けられた複数の端子２３０ａは、それぞれその薄さによって適度な可撓性を発揮し且つ図示のような湾曲形状になっている。そして、その湾曲面を梁板１６４に当接させている。かかる構成の端子２３０ａは、銅板部材２３０やＳＢＵ２２０に多少の寸法誤差や組付誤差があったとしても、それに応じて柔軟に撓みながら梁板１６４に当接する。これにより、寸法誤差や組付誤差による梁板１６４との接触不良を回避することができる。
【００７６】
また、複数の端子２３０ａは、ＳＢＵ２２０の配線基板の長手方向に並んで配設されている。かかる構成では、配線基板の短手方向に並べて設ける場合よりも多くの端子２３０ａを銅板部材２３０に設けることができる。
【００７７】
なお、これまで、第１ブラケット２０５で受信してしまった電波を、銅板部材２３０経由と、第２ブラケット２０４経由との２系統でアースに逃がすようにした例について説明したが、何れか一系統だけを採用してもよい。また、第１ブラケット２０５にアース線を直接固定して電波をアース線に逃がすようにしてもよい。また、スキャナ１５０の移動読取部１５２に本発明を適用した例について説明したが、固定読取部１５１にも本発明の適用が可能である。また、画像形成装置１として、電子写真プロセスによって画像を形成するものを採用した例について説明したが、他の方式によって画像を形成するものを採用してもよい。
【００７８】
以上、本実施形態に係る複写機においては、金属板たる銅板部材２３０を金属製支持体たる第１ブラケット２０５で支持して、銅板部材２３０を介して第１ブラケット２０５をアースに接続している。かかる構成では、第１ブラケット２０５で電波を受信してしまったとしても、それを銅板部材２３０からアースに逃がして、第１ブラケット２０５による電波の受信、増幅及び送信を抑えることができる。
【００７９】
また、銅板部材２３０として、第１ブラケット２０５よりも電気抵抗の小さいものを用いているので、銅板部材２３０で受信した電波を第１ブラケット２０５にリークさせてしまうといった事態を抑えることができる。
【００８０】
また、第１ブラケット２０５に直接接触しながらそれを支持する第２の金属製支持体たる第２ブラケット２０４を設け、これをアースに接続している。かかる構成では、第１ブラケット２０５で電波を受信してしまったとしても、それを銅板部材２３０経由でアースに逃がすことに加えて、第２ブラケット２０４経由でもアースに逃がす。これにより、第１ブラケット２０５による電波の受信、増幅及び送信をより抑えることができる。
【００８１】
また、銅板部材２３０の微細折り曲げ突起部２３０ｂを電子回路基板たるＳＢＵ２２０の配線基板のグランド配線パターンにハンダ接合しているので、銅板部材２３０を介して配線基板のグランド配線パターンをアースに接続することができる。更には、銅板部材２３０をハンダ接合によって配線基板上に固定することもできる。
【００８２】
また、銅板部材２３０の端部である複数の端子２３０ａをスキャナの筐体内に配設され且つアース接続された金属梁である梁板１６４に当接させることで、梁板１６４を介して銅板部材２３０をアースに接続しつつ、銅板部材２３０をアースに接続するためのハンダ付け作業やアース線ボルト固定作業を省略することができる。
【００８３】
また、銅板部材２３０の一端側に板本体から延びる複数の端子２３０ａを設け、これら端子２３０ａを銅板部材２３０の端部として梁板１６４に当接させたことで、端子２３０ａと梁板１６４との当接によって銅板部材２３０をアースに接続することができる。
【００８４】
また、複数の端子２３０ａとして、それぞれ可撓性を発揮する湾曲形状のものを用い、その湾曲面を梁板１６４に当接させているので、銅板部材２３０やＳＢＵ２２０に多少の寸法誤差や組付誤差があったとしても、それに応じて柔軟に撓みながら梁板１６４に当接させて、寸法誤差や組付誤差による梁板１６４との接触不良を回避することができる。
【００８５】
また、複数の端子２３０ａをＳＢＵ２２０の長手方向に並べて設けているので、短手方向に並べて設ける場合に比べて、より多くの端子２３０ａを銅板部材２３０に設けることができる。
【図面の簡単な説明】
【００８６】
【図１】実施形態に係る複写機を示す概略構成図。
【図２】同複写機における画像形成装置の内部構成の一部を拡大して示す部分拡大構成図。
【図３】同画像形成装置のタンデム部の一部を示す部分拡大図。
【図４】同複写機のＡＤＦ及びスキャナを示す斜視図。
【図５】同ＡＤＦの要部構成をスキャナの上部とともに示す拡大構成図。
【図６】同スキャナを部分的に示す部分斜視図。
【図７】同スキャナの移動読取部をその側方から示す構成図。
【図８】同移動読取部におけるワイヤ駆動系を示す模式図。
【図９】同移動読取部のワイヤ駆動モータ及びその周囲構成を駆動ワイヤ展張方向から示す拡大構成図。
【図１０】同移動読取部における梁板とレンズユニットとＳＢＵとを示す斜視図。
【図１１】同ＳＢＵ及び第１ブラケットを示す斜視図。
【図１２】同ＳＢＵ、銅板部材、及び第１ブラケットを第１ブラケット固定面側とは反対側から示す斜視図。
【図１３】同ＳＢＵ、銅板部材、及び第１ブラケットを第１ブラケット固定面側から示す斜視図。
【図１４】同ＳＢＵ２２０とその周囲構成とを示す横断面図。
【符号の説明】
【００８７】
１：画像形成装置（画像形成手段）
５０：原稿搬送読取ユニット（原稿搬送読取装置）
５１：ＡＤＦ（原稿搬送手段）
１５０：スキャナ（画像読取装置）
１６２：第１移動体（光照射手段）
１６４：梁板（金属梁）
２０４：第２ブラケット（第２の金属製支持体）
２０５：第１ブラケット（金属製支持体）
２２０：ＳＢＵ（読取手段の一部、電子回路基板）
２３０：銅板部材（金属板）
２３０ａ：端子
２３１：第２銅板部材（金属板）
【図１】
2007134907.tif 000003
【図２】
2007134907.tif 000004
【図３】
2007134907.tif 000005
【図４】
2007134907.tif 000006
【図５】
2007134907.tif 000007
【図６】
2007134907.tif 000008
【図７】
2007134907.tif 000009
【図８】
2007134907.tif 000010
【図９】
2007134907.tif 000011
【図１０】
2007134907.tif 000012
【図１１】
2007134907.tif 000013
【図１２】
2007134907.tif 000014
【図１３】
2007134907.tif 000015
【図１４】
2007134907.tif 000016